(57)【特許請求の範囲】
【請求項１】
無線アクセスネットワーク装置が、６リソースブロックにおけるＲＳＲＱ（Ｒｅｆｅｒｅｎｃｅ  Ｓｉｇｎａｌ  Ｒｅｃｅｉｖｅｄ  Ｑｕａｌｉｔｙ）の測定結果に基づいてセル再選択処理を行う際に用いられる既存パラメータに加えて、６リソースブロックよりも広い帯域におけるＲＳＲＱの測定結果に基づいてセル再選択処理を行う際に用いられる広帯域用パラメータを報知する工程Ａと、
６リソースブロックよりも広い帯域におけるＲＳＲＱの測定を行うことができる移動局が、前記広帯域用パラメータを用いて、６リソースブロックよりも広い帯域におけるＲＳＲＱの測定結果に基づいてセル再選択処理を行う工程Ｂと、
６リソースブロックよりも広い帯域におけるＲＳＲＱの測定を行うことができない移動局が、前記既存パラメータを用いて、６リソースブロックにおけるＲＳＲＱの測定結果に基づいてセル再選択処理を行う工程Ｃとを有することを特徴とする移動通信方法。
【請求項２】
無線アクセスネットワーク装置が、セル選択処理を行う際に用いられる待ち受け可能な自セルの６リソースブロックにおけるＲＳＲＱ（Ｒｅｆｅｒｅｎｃｅ  Ｓｉｇｎａｌ  Ｒｅｃｅｉｖｅｄ  Ｑｕａｌｉｔｙ）の最低品質値を示す既存パラメータに加えて、セル選択処理を行う際に用いられる待ち受け可能な自セルの６リソースブロックよりも広い帯域におけるＲＳＲＱの最低品質値を示す広帯域用パラメータを報知する工程Ａと、
６リソースブロックよりも広い帯域におけるＲＳＲＱの測定を行うことができる移動局が、前記広帯域用パラメータを用いる工程Ｂと、
６リソースブロックよりも広い帯域におけるＲＳＲＱの測定を行うことができない移動局が、前記既存パラメータを用いる工程Ｃとを有することを特徴とする移動通信方法。
【請求項３】
無線アクセスネットワーク装置であって、
６リソースブロックにおけるＲＳＲＱ（Ｒｅｆｅｒｅｎｃｅ  Ｓｉｇｎａｌ  Ｒｅｃｅｉｖｅｄ  Ｑｕａｌｉｔｙ）の測定結果に基づいてセル再選択処理を行う際に用いられる既存パラメータに加えて、６リソースブロックよりも広い帯域におけるＲＳＲＱの測定結果に基づいてセル再選択処理を行う際に用いられる広帯域用パラメータを報知するように構成されている送信部を具備することを特徴とする無線アクセスネットワーク装置。
【請求項４】
６リソースブロックよりも広い帯域におけるＲＳＲＱ（Ｒｅｆｅｒｅｎｃｅ  Ｓｉｇｎａｌ  Ｒｅｃｅｉｖｅｄ  Ｑｕａｌｉｔｙ）の測定結果に基づいてセル再選択処理を行うことができるように構成されている移動局であって、
無線アクセスネットワーク装置によって送信されている報知情報から、６リソースブロックにおけるＲＳＲＱの測定結果に基づいてセル再選択処理を行う際に用いられる既存パラメータに加えて、６リソースブロックよりも広い帯域におけるＲＳＲＱの測定結果に基づいてセル再選択処理を行う際に用いられる広帯域用パラメータを取得するように構成されている受信部と、
前記広帯域用パラメータが取得された場合には、該広帯域用パラメータを用いて、６リソースブロックよりも広い帯域におけるＲＳＲＱの測定結果に基づいてセル再選択処理を行うように構成されているセル再選択部とを具備することを特徴とする移動局。
【請求項５】
無線アクセスネットワーク装置であって、
セル選択処理を行う際に用いられる待ち受け可能な自セルの６リソースブロックにおけるＲＳＲＱ（Ｒｅｆｅｒｅｎｃｅ  Ｓｉｇｎａｌ  Ｒｅｃｅｉｖｅｄ  Ｑｕａｌｉｔｙ）の最低品質値を示す既存パラメータに加えて、セル選択処理を行う際に用いられる待ち受け可能な自セルの６リソースブロックよりも広い帯域におけるＲＳＲＱの最低品質値を示す広帯域用パラメータを報知するように構成されている送信部を具備することを特徴とする無線アクセスネットワーク装置。
【請求項６】
無線アクセスネットワーク装置によって送信されている報知情報から、セル選択処理を行う際に用いられる待ち受け可能な自セルの６リソースブロックにおけるＲＳＲＱ（Ｒｅｆｅｒｅｎｃｅ  Ｓｉｇｎａｌ  Ｒｅｃｅｉｖｅｄ  Ｑｕａｌｉｔｙ）の最低品質値を示す既存パラメータに加えて、セル選択処理を行う際に用いられる待ち受け可能な自セルの６リソースブロックよりも広い帯域におけるＲＳＲＱの最低品質値を示す広帯域用パラメータを取得するように構成されており、
前記広帯域用パラメータが取得された場合には、該広帯域用パラメータを用いるように構成されていることを特徴とする移動局。
【発明の詳細な説明】
【技術分野】
【０００１】
本発明は、移動通信方法、無線アクセスネットワーク装置及び移動局に関する。
【背景技術】
【０００２】
ＬＴＥ（Ｌｏｎｇ  Ｔｅｒｍ  Ｅｖｏｌｕｔｉｏｎ）方式では、図２２に示すように、ＲＳＲＰ（Ｒｅｆｅｒｅｎｃｅ  Ｓｉｇｎａｌ  Ｒｅｃｅｉｖｅｄ  Ｐｏｗｅｒ）及びＲＳＲＱ（Ｒｅｆｅｒｅｎｃｅ  Ｓｉｇｎａｌ  Ｒｅｃｅｉｖｅｄ  Ｑｕａｌｉｔｙ）を測定する帯域幅は、６リソースブロック（ＲＢ：Ｒｅｓｏｕｒｃｅ  Ｂｌｏｃｋ）及び５０リソースブロックの２種類が規定されているが、５０リソースブロックにおけるＲＳＲＰ/ＲＳＲＱの測定は、オプションであるため、実際には、６リソースブロックにおけるＲＳＲＰ/ＲＳＲＱの測定が行われるケースが多い。
【０００３】
図２３に示すように、ＲＳＲＱは、「測定リソースブロック数」×「ＲＳＲＰとＲＳＳＩ （ＲＳを含むＯＦＤＭシンボル区間の測定帯域内総受信電力） の比」によって測定される。
【０００４】
したがって、移動局ＵＥが、ＬＴＥ方式で利用される帯域の中央の６リソースブロックのみでＲＳＲＱを測定すると、図２４に示すように、実際の干渉量を考慮できず、ＲＳＲＱが、実際の値よりも高く測定されてしまうという問題点があった。
【０００５】
かかる問題点を解決するために、ＬＴＥ/Ｒｅｌｅａｓｅ-１１方式で、６リソースブロックよりも広い帯域におけるＲＳＲＱの測定（以下、「Ｗｉｄｅｂａｎｄ  ＲＳＲＱ  ｍｅａｓｕｒｅｍｅｎｔ」）を行う方法について規定することが検討されている。
【０００６】
具体的には、無線アクセスネットワークが、「ＲＲＣ_Ｃｏｎｎｅｃｔｅｄ状態」の移動局ＵＥや「ＲＲＣ_Ｉｄｌｅ状態」の移動局ＵＥやＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に在圏している移動局ＵＥに対して、個別シグナリングや報知情報を用いて、「Ｗｉｄｅｂａｎｄ  ＲＳＲＱ  ｍｅａｓｕｒｅｍｅｎｔ」を行うように指示する方法が検討されている。
【先行技術文献】
【非特許文献】
【０００７】
【非特許文献１】３ＧＰＰ  ＴＳ３６.３００
【非特許文献２】３ＧＰＰ寄書  Ｒ２-１２４８１３
【非特許文献３】３ＧＰＰ寄書  Ｒ２-１２４８１４
【非特許文献４】３ＧＰＰ  ＴＳ３６.３３１
【非特許文献５】３ＧＰＰ  ＴＳ３６.１３３
【発明の概要】
【発明が解決しようとする課題】
【０００８】
ここで、６リソースブロックにおけるＲＳＲＱの測定結果及び「Ｗｉｄｅｂａｎｄ  ＲＳＲＱ  ｍｅａｓｕｒｅｍｅｎｔ」による測定結果は異なる値になる。
【０００９】
したがって、６リソースブロックにおけるＲＳＲＱの測定を行うケースと「Ｗｉｄｅｂａｎｄ  ＲＳＲＱ  ｍｅａｓｕｒｅｍｅｎｔ」を行うケースとで、「ｅｖｅｎｔ  ｔｒｉｇｇｅｒｅｄ  ｍｅａｓｕｒｅｍｅｎｔ  ｒｅｐｏｒｔｉｎｇ」を行う際に用いられる閾値及び「ｉｄｌｅ  ｍｏｄｅ  ｃｅｌｌ  ｒｅｓｅｌｅｃｔｉｏｎ」を行う際に用いられる閾値を異なる値に設定すべきである。
【００１０】
「ｅｖｅｎｔ  ｔｒｉｇｇｅｒｅｄ  ｍｅａｓｕｒｅｍｅｎｔ  ｒｅｐｏｒｔｉｎｇ」を行う際に用いられる閾値は、移動局ＵＥごとに個別に設定することができるため、無線基地局ｅＮＢは、移動局ＵＥが「Ｗｉｄｅｂａｎｄ  ＲＳＲＱ  ｍｅａｓｕｒｅｍｅｎｔ」による測定に対応しているか否かに応じて適切な閾値を設定することができる。
【００１１】
しかしながら、既存のＬＴＥ方式では、「ｉｄｌｅ  ｍｏｄｅ  ｃｅｌｌ  ｒｅｓｅｌｅｃｔｉｏｎ」を行う際には、かかる点に着目しておらず、６リソースブロックにおけるＲＳＲＱの測定を行うケースと「Ｗｉｄｅｂａｎｄ  ＲＳＲＱ  ｍｅａｓｕｒｅｍｅｎｔ」を行うケースとで、「ｅｖｅｎｔ  ｔｒｉｇｇｅｒｅｄ  ｍｅａｓｕｒｅｍｅｎｔ  ｒｅｐｏｒｔｉｎｇ」を行う際に用いられる閾値及び「ｉｄｌｅ  ｍｏｄｅ  ｃｅｌｌ  ｒｅｓｅｌｅｃｔｉｏｎ」を行う際に用いられる閾値を変えるという思想に想到していないという問題点があった。
【００１２】
そこで、本発明は、上述の課題に鑑みてなされたものであり、６リソースブロックにおけるＲＳＲＱの測定を行うケースと「Ｗｉｄｅｂａｎｄ  ＲＳＲＱ  ｍｅａｓｕｒｅｍｅｎｔ」を行うケースとで、「ｉｄｌｅ  ｍｏｄｅ  ｃｅｌｌ  ｒｅｓｅｌｅｃｔｉｏｎ」を行う際に用いられる閾値を変えることで、適切な「ｉｄｌｅ  ｍｏｄｅ  ｃｅｌｌ  ｒｅｓｅｌｅｃｔｉｏｎ」を実現することができる移動通信方法、無線アクセスネットワーク装置及び移動局を提供することを目的とする。
【課題を解決するための手段】
【００１３】
本発明の第１の特徴は、移動通信方法であって、無線アクセスネットワーク装置が、６リソースブロックにおけるＲＳＲＱの測定結果に基づいてセル再選択処理を行う際に用いられる既存パラメータに加えて、６リソースブロックよりも広い帯域におけるＲＳＲＱの測定結果に基づいてセル再選択処理を行う際に用いられる広帯域用パラメータを報知する工程Ａと、６リソースブロックよりも広い帯域におけるＲＳＲＱの測定を行うことができる移動局が、前記広帯域用パラメータを用いて、６リソースブロックよりも広い帯域におけるＲＳＲＱの測定結果に基づいてセル再選択処理を行う工程Ｂと、６リソースブロックよりも広い帯域におけるＲＳＲＱの測定を行うことができない移動局が、前記既存パラメータを用いて、６リソースブロックにおけるＲＳＲＱの測定結果に基づいてセル再選択処理を行う工程Ｃとを有することを要旨とする。
【００１４】
本発明の第２の特徴は、無線アクセスネットワーク装置であって、６リソースブロックにおけるＲＳＲＱの測定結果に基づいてセル再選択処理を行う際に用いられる既存パラメータに加えて、６リソースブロックよりも広い帯域におけるＲＳＲＱの測定結果に基づいてセル再選択処理を行う際に用いられる広帯域用パラメータを報知するように構成されている送信部を具備することを要旨とする。
【００１５】
本発明の第３の特徴は、６リソースブロックよりも広い帯域におけるＲＳＲＱの測定結果に基づいてセル再選択処理を行うことができるように構成されている移動局であって、無線アクセスネットワーク装置によって送信されている報知情報から、６リソースブロックにおけるＲＳＲＱの測定結果に基づいてセル再選択処理を行う際に用いられる既存パラメータに加えて、６リソースブロックよりも広い帯域におけるＲＳＲＱの測定結果に基づいてセル再選択処理を行う際に用いられる広帯域用パラメータを取得するように構成されている受信部と、前記広帯域用パラメータが取得された場合には、該広帯域用パラメータを用いて、６リソースブロックよりも広い帯域におけるＲＳＲＱの測定結果に基づいてセル再選択処理を行うように構成されているセル再選択部とを具備することを要旨とする。
【００１６】
本発明の第４の特徴は、無線アクセスネットワーク装置が、６リソースブロックよりも広い帯域におけるＲＳＲＱの測定を行うことができる移動局に対して、６リソースブロックにおけるＲＳＲＱの測定結果に基づいてセル再選択処理を行う際に用いられる既存パラメータに加えて、個別信号によって、６リソースブロックよりも広い帯域におけるＲＳＲＱの測定結果に基づいてセル再選択処理を行う際に用いられる広帯域用パラメータを送信する工程Ａと、前記移動局が、前記広帯域用パラメータを用いて、６リソースブロックよりも広い帯域におけるＲＳＲＱの測定結果に基づいてセル再選択処理を行う工程Ｂとを有することを要旨とする。
【００１７】
本発明の第５の特徴は、無線アクセスネットワーク装置であって、６リソースブロックよりも広い帯域におけるＲＳＲＱの測定を行うことができる移動局に対して、６リソースブロックにおけるＲＳＲＱの測定結果に基づいてセル再選択処理を行う際に用いられる既存パラメータに加えて、個別信号によって、６リソースブロックよりも広い帯域におけるＲＳＲＱの測定結果に基づいてセル再選択処理を行う際に用いられる広帯域用パラメータを送信するように構成されている送信部を具備することを要旨とする。
【００１８】
本発明の第６の特徴は、６リソースブロックよりも広い帯域におけるＲＳＲＱの測定結果に基づいてセル再選択処理を行うことができるように構成されている移動局であって、６リソースブロックにおけるＲＳＲＱの測定結果に基づいてセル再選択処理を行う際に用いられる既存パラメータに加えて、無線アクセスネットワーク装置によって送信されている個別信号から、６リソースブロックよりも広い帯域におけるＲＳＲＱの測定結果に基づいてセル再選択処理を行う際に用いられる広帯域用パラメータを取得するように構成されている受信部と、前記広帯域用パラメータが取得された場合には、該広帯域用パラメータを用いて、６リソースブロックよりも広い帯域におけるＲＳＲＱの測定結果に基づいてセル再選択処理を行うように構成されているセル再選択部とを具備することを要旨とする。
【００１９】
本発明の第７の特徴は、６リソースブロックよりも広い帯域におけるＲＳＲＱの測定結果に基づいてセル再選択処理を行うことができるように構成されている移動局であって、６リソースブロックよりも広い帯域におけるＲＳＲＱの測定結果に基づいてセル再選択処理を行う際に用いられる広帯域用パラメータを固定値として管理しており、該広帯域用パラメータを用いて、６リソースブロックよりも広い帯域におけるＲＳＲＱの測定結果に基づいてセル再選択処理を行うように構成されているセル再選択部を具備することを要旨とする。
【００２０】
本発明の第８の特徴は、移動通信方法であって、無線アクセスネットワーク装置が、６リソースブロックよりも広い帯域におけるＲＳＲＱの測定を行うことができる移動局に対して、６リソースブロックにおけるＲＳＲＱの測定結果に基づいてセル再選択処理を行う際に用いられる既存パラメータに加えて、個別信号によって、６リソースブロックよりも広い帯域におけるＲＳＲＱの測定結果に基づいてセル再選択処理を行う際に用いられる複数の広帯域用パラメータセットを送信する工程Ａと、前記無線アクセスネットワーク装置が、前記複数の広帯域用パラメータセットのうち用いるべき広帯域用パラメータセットを指定する識別情報を報知する工程Ｂと、前記移動局が、前記識別情報によって指定された前記広帯域用パラメータを用いて、６リソースブロックよりも広い帯域におけるＲＳＲＱの測定結果に基づいてセル再選択処理を行う工程Ｃとを有することを要旨とする。
【００２１】
本発明の第９の特徴は、無線アクセスネットワーク装置であって、６リソースブロックよりも広い帯域におけるＲＳＲＱの測定を行うことができる移動局に対して、６リソースブロックにおけるＲＳＲＱの測定結果に基づいてセル再選択処理を行う際に用いられる既存パラメータに加えて、個別信号によって、６リソースブロックよりも広い帯域におけるＲＳＲＱの測定結果に基づいてセル再選択処理を行う際に用いられる複数の広帯域用パラメータセットを送信するように構成されており、かつ、該複数の広帯域用パラメータセットのうち用いるべき広帯域用パラメータセットを指定する識別情報を報知するように構成されている送信部を具備することを要旨とする。
【００２２】
本発明の第１０の特徴は、６リソースブロックよりも広い帯域におけるＲＳＲＱの測定結果に基づいてセル再選択処理を行うことができるように構成されている移動局であって、６リソースブロックにおけるＲＳＲＱの測定結果に基づいてセル再選択処理を行う際に用いられる既存パラメータに加えて、無線アクセスネットワーク装置によって送信されている個別信号から、６リソースブロックよりも広い帯域におけるＲＳＲＱの測定結果に基づいてセル再選択処理を行う際に用いられる複数の広帯域用パラメータセットを取得するように構成されており、かつ、該無線アクセスネットワークによって報知されている該複数の広帯域用パラメータセットのうち用いるべき広帯域用パラメータセットを指定する識別情報を受信するように構成されている受信部と、前記識別情報によって指定された前記広帯域用パラメータを用いて、６リソースブロックよりも広い帯域におけるＲＳＲＱの測定結果に基づいてセル再選択処理を行うように構成されているセル再選択部とを具備することを要旨とする。
【発明の効果】
【００２３】
以上説明したように、本発明によれば、６リソースブロックにおけるＲＳＲＱの測定を行うケースと「Ｗｉｄｅｂａｎｄ  ＲＳＲＱ  ｍｅａｓｕｒｅｍｅｎｔ」を行うケースとで、「ｉｄｌｅ  ｍｏｄｅ  ｃｅｌｌ  ｒｅｓｅｌｅｃｔｉｏｎ」を行う際に用いられる閾値を変えることで、適切な「ｉｄｌｅ  ｍｏｄｅ  ｃｅｌｌ  ｒｅｓｅｌｅｃｔｉｏｎ」を実現することができる移動通信方法、無線アクセスネットワーク装置及び移動局を提供することができる。
【図面の簡単な説明】
【００２４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって報知されるＳＩＢ３のフォーマットの一例を示す図である。
【図４】本発明の第１の実施形態に係る無線基地局によって報知されるＳＩＢ５のフォーマットの一例を示す図である。
【図５】本発明の第１の実施形態に係る無線回線制御局の機能ブロック図である。
【図６】本発明の第１の実施形態に係る無線回線制御局によって報知されるＳＩＢ１９のフォーマットの一例を示す図である。
【図７】本発明の第１の実施形態に係る無線回線制御局によって報知されるＳＩＢ１９のフォーマットの一例を示す図である。
【図８】本発明の第１の実施形態に係る無線回線制御局によって報知されるＳＩＢ１９のフォーマットの一例を示す図である。
【図９】本発明の第１の実施形態に係る無線回線制御局によって報知されるＳＩＢ１９のフォーマットの一例を示す図である。
【図１０】本発明の第１の実施形態に係る無線回線制御局によって報知されるＳＩＢ１９のフォーマットの一例を示す図である。
【図１１】本発明の第１の実施形態に係る移動局の機能ブロック図である。
【図１２】本発明の変更例１に係る無線基地局によって送信される「ＲＲＣＣｏｎｎｅｃｔｉｏｎＲｅｌｅａｓｅ」のフォーマットの一例を示す図である。
【図１３】本発明の変更例３に係る無線基地局によって送信される「ＲＲＣＣｏｎｎｅｃｔｉｏｎＲｅｌｅａｓｅ」のフォーマットの一例を示す図である。
【図１４】本発明の変更例３に係る無線回線制御局によって送信される「ＲＲＣ  ＣＯＮＮＥＣＴＩＯＮ  ＲＥＪＥＣＴ」のフォーマットの一例を示す図である。
【図１５】本発明の変更例３に係る無線回線制御局によって送信される「ＲＲＣ  ＣＯＮＮＥＣＴＩＯＮ  ＲＥＬＥＡＳＥ」のフォーマットの一例を示す図である。
【図１６】本発明の変更例３に係る無線回線制御局によって送信される「ＲＲＣ  ＣＯＮＮＥＣＴＩＯＮ  ＲＥＪＥＣＴ」及び「ＲＲＣ  ＣＯＮＮＥＣＴＩＯＮ  ＲＥＬＥＡＳＥ」内の情報要素「Ｒｅｄｉｒｅｃｔｉｏｎ  ｉｎｆｏ」のフォーマットの一例を示す図である。
【図１７】本発明の変更例３に係る無線回線制御局によって送信される「ＲＲＣ  ＣＯＮＮＥＣＴＩＯＮ  ＲＥＪＥＣＴ」及び「ＲＲＣ  ＣＯＮＮＥＣＴＩＯＮ  ＲＥＬＥＡＳＥ」内の情報要素「Ｒｅｄｉｒｅｃｔｉｏｎ  ｉｎｆｏ」内の情報要素「Ｉｎｔｅｒ-ＲＡＴ  ｉｎｆｏ」のフォーマットの一例を示す図である。
【図１８】本発明の変更例３に係る無線回線制御局によって送信される「ＲＲＣ  ＣＯＮＮＥＣＴＩＯＮ  ＲＥＪＥＣＴ」及び「ＲＲＣ  ＣＯＮＮＥＣＴＩＯＮ  ＲＥＬＥＡＳＥ」内の情報要素「Ｒｅｄｉｒｅｃｔｉｏｎ  ｉｎｆｏ」内の情報要素「Ｉｎｔｅｒ-ＲＡＴ  ｉｎｆｏ」内の「Ｅ-ＵＴＲＡ  Ｔａｒｇｅｔ  Ｉｎｆｏ」のフォーマットの一例を示す図である。
【図１９】本発明の変更例４に係る無線回線制御局によって送信される「ＵＴＲＡＮ  ＭＯＢＩＬＩＴＹ  ＩＮＦＯＲＭＡＴＩＯＮ」のフォーマットの一例を示す図である。
【図２０】本発明の変更例５に係る無線回線制御局によって送信されるＳＩＢ１９のフォーマットの一例を示す図である。
【図２１】本発明の変更例５に係る無線回線制御局によって送信されるＳＩＢ１９内の情報要素「Ｅ-ＵＴＲＡ  ｆｒｅｑｕｅｎｃｙ  ａｎｄ  ｐｒｉｏｒｉｔｙ  ｉｎｆｏ  ｌｉｓｔ」のフォーマットの一例を示す図である。
【図２２】従来技術について説明するための図である。
【図２３】従来技術について説明するための図である。
【図２４】従来技術について説明するための図である。
【発明を実施するための形態】
【００２５】
（本発明の第１の実施形態に係る移動通信システム）
図１乃至図１１を参照して、本発明の第１の実施形態に係る移動通信システムについて説明する。
【００２６】
図１に示すように、本実施形態に係る移動通信システムは、ＬＴＥ方式の無線アクセスネットワーク装置である無線基地局ｅＮＢと、ＵＴＲＡＮ方式の無線アクセスネットワーク装置である無線回線制御局ＲＮＣ及び無線基地局ＮｏｄｅＢとを具備している。
【００２７】
図２に示すように、本実施形態に係る無線基地局ｅＮＢは、報知情報生成部１１と、送信部１２とを具備している。
【００２８】
報知情報生成部１１は、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを含む報知情報（例えば、ＳＩＢ３及びＳＩＢ５）を生成するように構成されている。
【００２９】
例えば、かかる広帯域用パラメータのうち、ＬＴＥ方式のセルからＬＴＥ方式のセル（同周波セル及び異周波セル）への「ｉｄｌｅ  ｍｏｄｅ  ｃｅｌｌ  ｒｅｓｅｌｅｃｔｉｏｎ」を行う際に用いられるＳＩＢ３に含まれるパラメータとしては、「ＳＩｎｔｒａＳｅａｒｃｈＰ」や「ＳＩｎｔｒａＳｅａｒｃｈＱ」や「ＳｎｏｎＩｎｔｒａＳｅａｒｃｈＰ」や「ＳｎｏｎＩｎｔｒａＳｅａｒｃｈＱ」や「Ｑｑｕａｌｍｉｎ」や「ＴｈｒｅｓｈＳｅｒｖｉｎｇ，ＬｏｗＱ」が挙げられる。
【００３０】
ここで、「ＳＩｎｔｒａＳｅａｒｃｈＰ」は、同周波測定を行う際に用いられるＲＳＲＰの閾値である（図３における「ｓ-ＩｎｔｒａＳｅａｒｃｈＰ-ｒ１１」）。
【００３１】
「ＳＩｎｔｒａＳｅａｒｃｈＱ」は、同周波測定を行う際に用いられるＲＳＲＱの閾値である（図３における「ｓ-ＩｎｔｒａＳｅａｒｃｈＱ-ｒ１１」）。
【００３２】
「ＳｎｏｎＩｎｔｒａＳｅａｒｃｈＰ」は、異周波測定を行う際に用いられるＲＳＲＰの閾値である（図３における「ｓ-ＮｏｎＩｎｔｒａＳｅａｒｃｈＰ-ｒ１１」）。
【００３３】
「ＳｎｏｎＩｎｔｒａＳｅａｒｃｈＱ」は、異周波測定を行う際に用いられるＲＳＲＱの閾値である（図３における「ｓ-ＮｏｎＩｎｔｒａＳｅａｒｃｈＱ-ｒ１１」）。
【００３４】
「Ｑｑｕａｌｍｉｎ」は、「ｃｅｌｌ  ｓｅｌｅｃｔｉｏｎ（セル選択処理）」を行う際に用いられる待ち受け可能な自セルのＲＳＲＱの最低品質値である（図３における「ｑ-ＱｕａｌＭｉｎＦｏｒｍＷＧ-ＲＳＲＱ-ｒ１１」）。
【００３５】
「ＴｈｒｅｓｈＳｅｒｖｉｎｇ，ＬｏｗＱ」は、優先度の低い異周波/異ＲＡＴセルに「ｃｅｌｌ  ｓｅｌｅｃｔｉｏｎ」を行う際のサービングセルのＲＳＲＱの閾値である（図３における「ｔｈｒｅｓｈＳｅｒｖｉｎｇＬｏｗＱ-ＦｏｒＷＢ-ＲＳＲＱ-ｒ１１」）。
【００３６】
なお、図３における「ｓ-ＩｎｔｒａＳｅａｒｃｈＰ-ｒ９」や「ｓ-ＩｎｔｒａＳｅａｒｃｈＱ-ｒ９」や「ｓ-ＮｏｎＩｎｔｒａＳｅａｒｃｈＰ-ｒ９」や「ｓ-ＮｏｎＩｎｔｒａＳｅａｒｃｈＱ-ｒ９」や「ｑ-ＱｕａｌＭｉｎ-ｒ９」や「ｔｈｒｅｓｈＳｅｒｖｉｎｇＬｏｗＱ-ｒ９」は、上述の既存パラメータである。
【００３７】
ここで、図３における「ｗｉｄｅｂａｎｄＲＳＲＱＭｅａｓ」は、「Ｗｉｄｅｂａｎｄ  ＲＳＲＱ  ｍｅａｓｕｒｅｍｅｎｔ」を行うように指示するための情報要素である。
【００３８】
また、かかる広帯域用パラメータのうち、ＬＴＥ方式のセルからＬＴＥ方式のセル（同周波セル及び異周波セル）への「ｉｄｌｅ  ｍｏｄｅ  ｃｅｌｌ  ｒｅｓｅｌｅｃｔｉｏｎ」を行う際に用いられるＳＩＢ５に含まれるパラメータとしては、「Ｑｑｕａｌｍｉｎ」や「ＴｈｒｅｓｈＸ，ＨｉｇｈＱ」や「ＴｈｒｅｓｈＸ，ＬｏｗＱ」が挙げられる。
【００３９】
ここで、「Ｑｑｕａｌｍｉｎ」は、「ｃｅｌｌ  ｓｅｌｅｃｔｉｏｎ」を行う際に用いられる待ち受け可能な周辺セルのＲＳＲＱの最低品質値である（図４における「ｑ-ＱｕａｌＭｉｎ-ＦｏｒＷＧ-ＲＳＲＱ-ｒ１１」）。
【００４０】
「ＴｈｒｅｓｈＸ，ＨｉｇｈＱ」は、優先度の高い異周波セルに「ｃｅｌｌ  ｓｅｌｅｃｔｉｏｎ」を行う際の周辺セルのＲＳＲＱの閾値である（図４における「ｔｈｒｅｓｈＸ-ＨｉｇｈＱ-ｒ１１」）。
【００４１】
「ＴｈｒｅｓｈＸ，ＬｏｗＱ」は、優先度の低い異周波セルに「ｃｅｌｌ  ｓｅｌｅｃｔｉｏｎ」を行う際の周辺セルのＲＳＲＱの閾値である（図４における「ｔｈｒｅｓｈＸ-ＬｏｗＱ-ｒ１１」）。
【００４２】
なお、図４における「ｑ-ＱｕａｌＭｉｎ-ｒ９」や「ｔｈｒｅｓｈＸ-ＨｉｇｈＱ-ｒ９」や「ｔｈｒｅｓｈＸ-ＬｏｗＱ-ｒ９」は、上述の既存パラメータである。
【００４３】
ここで、報知情報生成部１１は、上述の広帯域用パラメータとして、広帯域用パラメータの値そのものを設定するように構成されていてもよいし、上述の既存パラメータに対するオフセット値を設定するように構成されていてもよい。
【００４４】
送信部１２は、報知情報生成部１１によって生成された報知情報（例えば、ＳＩＢ３やＳＩＢ５等）を送信するように構成されている。
【００４５】
図５に示すように、本実施形態に係る無線回線制御局ＲＮＣは、報知情報生成部２１と、送信部２２とを具備している。
【００４６】
報知情報生成部２１は、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを含む報知情報（例えば、ＳＩＢ１９）を生成するように構成されている。
【００４７】
例えば、かかる広帯域用パラメータのうち、ＵＴＲＡＮ方式のセルからＬＴＥ方式のセルへの「ｉｄｌｅ  ｍｏｄｅ  ｃｅｌｌ  ｒｅｓｅｌｅｃｔｉｏｎ」を行う際に用いられるパラメータとしては、「Ｑｑｕａｌｍｉｎ」や「ＴｈｒｅｓｈＸ，Ｈｉｇｈ２」や「ＴｈｒｅｓｈＸ，Ｌｏｗ２」が挙げられる。
【００４８】
ここで、「Ｑｑｕａｌｍｉｎ」は、「ｃｅｌｌ  ｓｅｌｅｃｔｉｏｎ」を行う際に用いられる待ち受け可能な周辺セルのＲＳＲＱの最低品質値である（図６における「ｑｑｕａｌＭｉｎＥＵＴＲＡ-ＷＢ-ＲＳＲＱ」及び図７/図８における「Ｅ-ＵＴＲＡ  ｆｒｅｑｕｅｎｃｙ  ａｎｄ  ｐｒｉｏｒｉｔｙ  ｉｎｆｏ  ｌｉｓｔ」内の「ＱｑｕａｌｍｉｎＥＵＴＲＡ  ｆｏｒ  ｗｉｄｅｂａｎｄ  ＲＳＲＱ  ｍｅａｓｕｒｅｍｅｎｔｓ」）。
【００４９】
「ＴｈｒｅｓｈＸ，Ｈｉｇｈ２」は、優先度の高い異周波セルに「ｃｅｌｌ  ｓｅｌｅｃｔｉｏｎ」を行う際の周辺セルのＲＳＲＱの閾値である（図６における「ｔｈｒｅｓｈＸｈｉｇｈ２-ＷＢ-ＲＳＲＱ」及び図７/図８における「Ｅ-ＵＴＲＡ  ｆｒｅｑｕｅｎｃｙ  ａｎｄ  ｐｒｉｏｒｉｔｙ  ｉｎｆｏ  ｌｉｓｔ」内の「ＴｒｅｓｈＸ，Ｈｉｇｈ２  ｆｏｒ  ｗｉｄｅｂａｎｄ  ＲＳＲＱ  ｍｅａｓｕｒｅｍｅｎｔｓ」）。
【００５０】
「ＴｈｒｅｓｈＸ，Ｌｏｗ２」は、優先度の低い異周波セルに「ｃｅｌｌ  ｓｅｌｅｃｔｉｏｎ」を行う際の周辺セルのＲＳＲＱの閾値である（図６における「ｔｈｒｅｓｈＸｌｏｗ２-ＷＢ-ＲＳＲＱ」及び図７/図８における「Ｅ-ＵＴＲＡ  ｆｒｅｑｕｅｎｃｙ  ａｎｄ  ｐｒｉｏｒｉｔｙ  ｉｎｆｏ  ｌｉｓｔ」内の「ＴｒｅｓｈＸ，Ｌｏｗ２  ｆｏｒ  ｗｉｄｅｂａｎｄ  ＲＳＲＱ  ｍｅａｓｕｒｅｍｅｎｔｓ」）。
【００５１】
なお、図６における「ｑｑｕａｌＭｉｎＥＵＴＲＡ」や「ｔｈｒｅｓｈＸｈｉｇｈ２」や「ｔｈｒｅｓｈＸｌｏｗ２」は、上述の既存パラメータである。
【００５２】
ここで、図６における「ｗｉｄｅｂａｎｄＲＳＲＱＭｅａｓｕｒｅｍｅｎｔ」及び図７/図８における「Ｅ-ＵＴＲＡ  ｆｒｅｑｕｅｎｃｙ  ａｎｄ  ｐｒｉｏｒｉｔｙ  ｉｎｆｏ  ｌｉｓｔ」内の「Ｗｉｄｅｂａｎｄ  ＲＳＲＱ  ｍｅａｓｕｒｅｍｅｎｔｓ」は、「Ｗｉｄｅｂａｎｄ  ＲＳＲＱ  ｍｅａｓｕｒｅｍｅｎｔ」を行うように指示するための情報要素である。
【００５３】
ここで、報知情報生成部２１は、上述の広帯域用パラメータとして、図６乃至図８に示すように、広帯域用パラメータの値そのものを設定するように構成されていてもよいし、図９及び図１０に示すように、上述の既存パラメータに対するオフセット値を設定するように構成されていてもよい。
【００５４】
図１１に示すように、本実施形態に係る移動局ＵＥは、受信部３１と、セル再選択部３２とを具備している。
【００５５】
なお、本実施形態に係る移動局ＵＥは、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うことができるように構成されている。
【００５６】
受信部３１は、無線基地局ｅＮＢによって送信されている報知情報（ＳＩＢ３及びＳＩＢ５）、或いは、無線回線制御局ＲＮＣによって送信されている報知情報（ＳＩＢ１９）から、上述の既存パラメータに加えて、上述の広帯域用パラメータを取得するように構成されている。
【００５７】
セル再選択部３２は、上述の広帯域用パラメータが取得された場合には、かかる広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うように構成されている。
【００５８】
（変更例１）
以下、図１２を参照して、本発明の変更例１に係る移動通信システムについて、上述の第１の実施形態に係る移動通信システムとの相違点に着目して説明する。
【００５９】
本変更例１に係る移動通信システムでは、「Ｗｉｄｅｂａｎｄ  ＲＳＲＱ  ｍｅａｓｕｒｅｍｅｎｔ」を行うことができる移動局ＵＥが、「ＲＲＣ_Ｃｏｎｎｅｃｔｅｄ状態」から「ＲＲＣ_Ｉｄｌｅ状態」に遷移する場合に、無線基地局ｅＮＢの送信部１２及び無線回線制御局ＲＮＣの送信部２２は、かかる移動局ＵＥに対して、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、個別信号、例えば、「ＲＲＣＣｏｎｎｅｃｔｉｏｎＲｅｌｅａｓｅ」や「ＲＲＣＣｏｎｎｅｃｔｉｏｎＲｅｊｅｃｔ（コネクション拒絶信号）」等によって、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを送信するように構成されていてもよい。
【００６０】
ここで、無線基地局ｅＮＢの送信部１２及び無線回線制御局ＲＮＣの送信部２２によって送信される広帯域用パラメータは、同一のセル内の移動局ＵＥに共通するものであってもよい。
【００６１】
なお、無線基地局ｅＮＢの送信部１２及び無線回線制御局ＲＮＣの送信部２２は、上述の広帯域用パラメータとして、上述の既存パラメータに対するオフセット値を送信するように構成されていてもよい。
【００６２】
具体的には、図１２に示すように、無線基地局ｅＮＢの送信部１２及び無線回線制御局ＲＮＣの送信部２２は、「ＲＲＣｏｎｎｅｃｔｉｏｎＲｅｌｅａｓｅ」内の情報要素「ｗｉｄｅｂａｎｄＲＳＲＱＭｅａｓ-Ｏｆｆｓｅｔ」を用いて、上述の広帯域用パラメータとして、上述の既存パラメータに対するオフセット値を送信するように構成されていてもよい。
【００６３】
また、「Ｗｉｄｅｂａｎｄ  ＲＳＲＱ  ｍｅａｓｕｒｅｍｅｎｔ」を行うことができる移動局ＵＥの受信部３１は、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、無線基地局ｅＮＢ又は無線回線制御局ＲＮＣによって送信されている「ＲＲＣＣｏｎｎｅｃｔｉｏｎＲｅｌｅａｓｅ」から、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを取得するように構成されている。
【００６４】
また、かかる移動局ＵＥのセル再選択部３２は、上述の広帯域用パラメータが取得された場合には、かかる広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うように構成されている。
【００６５】
（変更例２）
以下、本発明の変更例２に係る移動通信システムについて、上述の第１の実施形態に係る移動通信システムとの相違点に着目して説明する。
【００６６】
本変更例２に係る移動通信システムでは、「Ｗｉｄｅｂａｎｄ  ＲＳＲＱ  ｍｅａｓｕｒｅｍｅｎｔ」を行うことができる移動局ＵＥのセル選択部３２は、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを固定値として管理するように構成されていてもよい。
【００６７】
かかる移動局ＵＥのセル再選択部３２は、かかる広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うように構成されている。
【００６８】
なお、かかる移動局ＵＥのセル再選択部３２は、所定信号（例えば、「ＲＲＣｏｎｎｅｃｔｉｏｎＲｅｌｅａｓｅ」）を用いて、無線基地局ｅＮＢ又は無線回線制御局ＲＮＣから広帯域用パラメータが通知された場合に、固定値として管理している広帯域用パラメータを更新するように構成されていてもよい。
【００６９】
（変更例３）
以下、図１３乃至図１８を参照して、本発明の変更例３に係る移動通信システムについて、上述の第１の実施形態や変更例１に係る移動通信システムとの相違点に着目して説明する。
【００７０】
本変更例３に係る移動通信システムでは、無線基地局ｅＮＢの送信部１２は、周波数（ＥＡＲＦＣＮ：Ｅ-ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）ごとに、上述の既存パラメータに対するオフセット値を送信するように構成されている。
【００７１】
例えば、図１３に示すように、無線基地局ｅＮＢの送信部１２は、「ＲＲＣｏｎｎｅｃｔｉｏｎＲｅｌｅａｓｅ」内の情報要素「ＦｒｅｑＰｒｉｏｒｉｔｙＬｅｓｔＥＵＴＲＡ-ｖ１１ｘｙ」を用いて、周波数（ＥＡＲＦＣＮ）ごとに、上述の広帯域用パラメータとして、上述の既存パラメータに対するオフセット値（図１３に示す「ｗｉｄｅｂａｎｄＲＳＲＱＭｅａｓ-Ｏｆｆｓｅｔ」）を送信するように構成されていてもよい。
【００７２】
同様に、本変更例３に係る移動通信システムでは、無線回線制御局ＲＮＣの送信部２２は、周波数（ＥＡＲＦＣＮ）ごとに、上述の既存パラメータに対するオフセット値を送信するように構成されている。
【００７３】
例えば、図１４乃至図１８に示すように、無線回線制御局ＲＮＣの送信部２２は、「ＲＲＣ  ＣＯＮＮＥＣＴＩＯＮ  ＲＥＪＥＣＴ」及び「ＲＲＣ  ＣＯＮＮＥＣＴＩＯＮ  ＲＥＬＥＡＳＥ」内の情報要素「Ｒｅｄｉｒｅｃｔｉｏｎ  ｉｎｆｏ」内の情報要素「Ｉｎｔｅｒ-ＲＡＴ  ｉｎｆｏ」内の「Ｅ-ＵＴＲＡ  Ｔａｒｇｅｔ  Ｉｎｆｏ」を用いて、周波数（ＥＡＲＦＣＮ）ごとに、上述の広帯域用パラメータとして、上述の既存パラメータに対するオフセット値（図１８に示す「ＱｑｕａｌｍｉｎＯｆｆｓｅｔＥＵＴＲＡ  ｆｏｒ  ｗｉｄｅｂａｎｄ  ＲＳＲＱ  ｍｅａｓｕｒｅｍｅｎｔｓ」や「Ｔｈｒｅｓｈｘ，ｈｉｇｈ２ｏｆｆｓｅｔ  ｆｏｒ  ｗｉｄｅｂａｎｄ  ＲＳＲＱ  ｍｅａｓｕｒｅｍｅｎｔｓ」や「Ｔｈｒｅｓｈｘ，ｌｏｗ２ｏｆｆｓｅｔ  ｆｏｒ  ｗｉｄｅｂａｎｄ  ＲＳＲＱ  ｍｅａｓｕｒｅｍｅｎｔｓ」）を送信するように構成されていてもよい。
【００７４】
（変更例４）
以下、図１９を参照して、本発明の変更例４に係る移動通信システムについて、上述の第１の実施形態や変更例１に係る移動通信システムとの相違点に着目して説明する。
【００７５】
本発明の変更例４に係る移動通信システムでは、無線回線制御局ＲＮＣの送信部２２は、「Ｗｉｄｅｂａｎｄ  ＲＳＲＱ  ｍｅａｓｕｒｅｍｅｎｔ」を行うことができる移動局ＵＥに対して、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、個別信号である「ＵＴＲＡＮ  ＭＯＢＩＬＩＴＹ  ＩＮＦＯＲＭＡＴＩＯＮ」によって、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを送信するように構成されている。
【００７６】
ここで、無線回線制御局ＲＮＣの送信部２２は、「ＵＴＲＡＮ  ＭＯＢＩＬＩＴＹ  ＩＮＦＯＲＭＡＴＩＯＮ」によって、上述の広帯域用パラメータとして、上述の既存パラメータに対するオフセット値を送信するように構成されていてもよい。
【００７７】
或いは、無線回線制御局ＲＮＣの送信部２２は、「ＵＴＲＡＮ  ＭＯＢＩＬＩＴＹ  ＩＮＦＯＲＭＡＴＩＯＮ」によって、周波数（ＥＡＲＦＣＮ）ごとに、上述の既存パラメータに対するオフセット値を送信するように構成されていてもよい。
【００７８】
例えば、図１９に示すように、無線回線制御局ＲＮＣの送信部２２は、「ＵＴＲＡＮ  ＭＯＢＩＬＩＴＹ  ＩＮＦＯＲＭＡＴＩＯＮ」を用いて、周波数（ＥＡＲＦＣＮ）ごとに、上述の広帯域用パラメータとして、上述の既存パラメータに対するオフセット値（図１８に示す「ＱｑｕａｌｍｉｎＯｆｆｓｅｔＥＵＴＲＡ  ｆｏｒ  ｗｉｄｅｂａｎｄ  ＲＳＲＱ  ｍｅａｓｕｒｅｍｅｎｔｓ」や「Ｔｈｒｅｓｈｘ，ｈｉｇｈ２ｏｆｆｓｅｔ  ｆｏｒ  ｗｉｄｅｂａｎｄ  ＲＳＲＱ  ｍｅａｓｕｒｅｍｅｎｔｓ」や「Ｔｈｒｅｓｈｘ，ｌｏｗ２ｏｆｆｓｅｔ  ｆｏｒ  ｗｉｄｅｂａｎｄ  ＲＳＲＱ  ｍｅａｓｕｒｅｍｅｎｔｓ」）を送信するように構成されていてもよい。
【００７９】
（変更例５）
以下、本発明の変更例５に係る移動通信システムについて、上述の第１の実施形態に係る移動通信システムとの相違点に着目して説明する。
【００８０】
本発明の変更例５に係る移動通信システムでは、無線回線制御局ＲＮＣの送信部２２は、「Ｗｉｄｅｂａｎｄ  ＲＳＲＱ  ｍｅａｓｕｒｅｍｅｎｔ」による測定を行うことができる移動局ＵＥに対して、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、個別信号（例えば、「ＲＲＣＣｏｎｎｅｃｔｉｏｎＲｅｌｅａｓｅ」や「ＲＲＣＣｏｎｎｅｃｔｉｏｎＲｅｊｅｃｔ」や「ＵＴＲＡＮ  ＭＯＢＩＬＩＴＹ  ＩＮＦＯＲＭＡＴＩＯＮ」等）によって、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる複数の広帯域用パラメータセット（例えば、最大４パターンの広帯域用パラメータセット）を送信するように構成されている。
【００８１】
また、無線回線制御局ＲＮＣの送信部２２は、配下のセルにおいて、上述の複数の広帯域用パラメータセットのうち用いるべき広帯域用パラメータセットを指定する識別情報を報知するように構成されている。
【００８２】
ここで、無線回線制御局ＲＮＣの送信部２２は、ＳＩＢ１９を用いて、かかる識別情報を報知するように構成されていてもよい。
【００８３】
例えば、図２０及び図２１に示すように、無線回線制御局ＲＮＣの送信部２２は、ＳＩＢ１９内の情報要素「Ｅ-ＵＴＲＡ  ｆｒｅｑｕｅｎｃｙ  ａｎｄ  ｐｒｉｏｒｉｔｙ  ｉｎｆｏ  ｌｉｓｔ」によって、かかる識別情報を報知するように構成されていてもよい。
【００８４】
また、無線回線制御局ＲＮＣの送信部２２は、周波数（ＥＡＲＦＣＮ）ごとに、かかる識別情報を報知するように構成されていてもよい。
【００８５】
ここで、無線回線制御局ＲＮＣの送信部２２が、最大４パターンの広帯域用パラメータセットを送信する場合には、上述の識別情報は、２ビットで済むため、報知する情報量を低減することができる。
【００８６】
また、移動局ＵＥのセル再選択部３２は、上述の識別情報によって指定された広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うように構成されている。
【００８７】
なお、無線基地局ｅＮＢの送信部１２も、上述の複数の広帯域用パラメータセットを送信し、上述の識別情報を報知するように構成されていてもよい。
【００８８】
以上に述べた本実施形態の特徴は、以下のように表現されていてもよい。
【００８９】
本実施形態の第１の特徴は、移動通信方法であって、無線基地局ｅＮＢ又は無線回線制御局ＲＮＣ（無線アクセスネットワーク装置）が、６リソースブロックにおけるＲＳＲＱの測定結果に基づいて「ｉｄｌｅ  ｍｏｄｅ  ｃｅｌｌ  ｒｅｓｅｌｅｃｔｉｏｎ（セル再選択処理）」を行う際に用いられる既存パラメータに加えて、「Ｗｉｄｅｂａｎｄ  ＲＳＲＱ  ｍｅａｓｕｒｅｍｅｎｔ」による測定結果（６リソースブロックよりも広い帯域におけるＲＳＲＱの測定結果）に基づいて「ｉｄｌｅ  ｍｏｄｅ  ｃｅｌｌ  ｒｅｓｅｌｅｃｔｉｏｎ」を行う際に用いられる広帯域用パラメータを報知する工程Ａと、「Ｗｉｄｅｂａｎｄ  ＲＳＲＱ  ｍｅａｓｕｒｅｍｅｎｔ」を行うことができる移動局ＵＥが、かかる広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う工程Ｂと、「Ｗｉｄｅｂａｎｄ  ＲＳＲＱ  ｍｅａｓｕｒｅｍｅｎｔ」を行うことができない移動局ＵＥが、かかる既存パラメータを用いて、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う工程Ｃとを有することを要旨とする。
【００９０】
かかる構成によれば、無線基地局ｅＮＢ又は無線回線制御局ＲＮＣが、移動局ＵＥにおける「Ｗｉｄｅｂａｎｄ  ＲＳＲＱ  ｍｅａｓｕｒｅｍｅｎｔ」の対応の有無に応じて、「ｉｄｌｅ  ｍｏｄｅ  ｃｅｌｌ  ｒｅｓｅｌｅｃｔｉｏｎ」を行う際に用いられるパラメータ（既存パラメータ又は広帯域用パラメータ）を設定することができるため、ＲＳＲＱの測定結果の差分を考慮した形で、適切な「ｉｄｌｅ  ｍｏｄｅ  ｃｅｌｌ  ｒｅｓｅｌｅｃｔｉｏｎ」を実現することができる。
【００９１】
本実施形態の第１の特徴において、工程Ａにおいて、無線基地局ｅＮＢ又は無線回線制御局ＲＮＣは、上述の広帯域用パラメータとして、既存パラメータに対するオフセット値を報知してもよい。
【００９２】
かかる構成によれば、無線基地局ｅＮＢ又は無線回線制御局ＲＮＣは、少ないデータ量で、上述の広帯域用パラメータを通知することができる。
【００９３】
本実施形態の第２の特徴は、無線基地局ｅＮＢ又は無線回線制御局ＲＮＣであって、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを報知するように構成されている送信部１２/２２を具備することを要旨とする。
【００９４】
本実施形態の第３の特徴は、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うことができるように構成されている移動局ＵＥであって、無線基地局ｅＮＢ又は無線回線制御局ＲＮＣによって送信されている報知情報から、６リソースブロックにおけるＲＳＲＱの測定結果に基づいてセル再選択処理を行う際に用いられる既存パラメータに加えて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを取得するように構成されている受信部３１と、上述の広帯域用パラメータが取得された場合には、かかる広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うように構成されているセル再選択部３２とを具備することを要旨とする。
【００９５】
本実施形態の第４の特徴は、無線基地局ｅＮＢ又は無線回線制御局ＲＮＣが、「Ｗｉｄｅｂａｎｄ  ＲＳＲＱ  ｍｅａｓｕｒｅｍｅｎｔ」を行うことができる移動局ＵＥに対して、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、個別信号によって、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを送信する工程Ａと、かかる移動局ＵＥが、かかる広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う工程Ｂとを有することを要旨とする。
【００９６】
本実施形態の第４の特徴において、上述の工程Ａにおいて、無線基地局ｅＮＢ又は無線回線制御局ＲＮＣは、上述の広帯域用パラメータとして、上述の既存パラメータに対するオフセット値を送信してもよい。
【００９７】
本実施形態の第４の特徴において、上述の工程Ａにおいて、無線基地局ｅＮＢ又は無線回線制御局ＲＮＣは、周波数ごとに、上述の既存パラメータに対するオフセット値を送信してもよい。
【００９８】
本実施形態の第５の特徴は、無線基地局ｅＮＢ又は無線回線制御局ＲＮＣであって、「Ｗｉｄｅｂａｎｄ  ＲＳＲＱ  ｍｅａｓｕｒｅｍｅｎｔ」を行うことができる移動局ＵＥに対して、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、個別信号によって、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを送信するように構成されている送信部１２/２２を具備することを要旨とする。
【００９９】
本実施形態の第６の特徴は、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うことができるように構成されている移動局ＵＥであって、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、無線基地局ｅＮＢ又は無線回線制御局ＲＮＣによって送信されている個別信号から、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを取得するように構成されている受信部３１と、上述の広帯域用パラメータが取得された場合には、かかる広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うように構成されているセル再選択部３２とを具備することを要旨とする。
【０１００】
本実施形態の第７の特徴は、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うことができるように構成されている移動局ＵＥであって、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを固定値として管理しており、上述の広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うように構成されているセル再選択部３２を具備することを要旨とする。
【０１０１】
本実施形態の第８の特徴は、移動通信方法であって、無線基地局ｅＮＢ又は無線回線制御局ＲＮＣが、「Ｗｉｄｅｂａｎｄ  ＲＳＲＱ  ｍｅａｓｕｒｅｍｅｎｔ」による測定を行うことができる移動局ＵＥに対して、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、個別信号によって、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる複数の広帯域用パラメータセットを送信する工程Ａと、無線基地局ｅＮＢ又は無線回線制御局ＲＮＣが、かかる複数の広帯域用パラメータセットのうち用いるべき広帯域用パラメータセットを指定する識別情報を報知する工程Ｂと、移動局ＵＥが、かかる識別情報によって指定された広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う工程Ｃとを有することを要旨とする。
【０１０２】
本実施形態の第８の特徴において、上述の工程Ａにおいて、無線基地局ｅＮＢ又は無線回線制御局ＲＮＣは、上述の複数の広帯域用パラメータセットとして、既存パラメータに対する複数のオフセット値のセットを送信してもよい。
【０１０３】
本実施形態の第８の特徴において、上述の工程Ａにおいて、無線基地局ｅＮＢ又は無線回線制御局ＲＮＣは、周波数ごとに、上述の識別情報を送信してもよい。
【０１０４】
本実施形態の第４及び第８の特徴において、上述の個別信号は、「ＲＲＣＣｏｎｎｅｃｔｉｏｎＲｅｌｅａｓｅ（コネクション解放信号）」、「ＲＲＣＣｏｎｎｅｃｔｉｏｎＲｅｊｅｃｔ（コネクション拒絶信号）」或いは「ＵＴＲＡＮ  ＭＯＢＩＬＩＴＹ  ＩＮＦＯＲＭＡＴＩＯＮ」であってもよい。
【０１０５】
本実施形態の第９の特徴は、無線基地局ｅＮＢ又は無線回線制御局ＲＮＣであって、「Ｗｉｄｅｂａｎｄ  ＲＳＲＱ  ｍｅａｓｕｒｅｍｅｎｔ」による測定を行うことができる移動局ＵＥに対して、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、個別信号によって、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる複数の広帯域用パラメータセットを送信するように構成されており、かつ、かかる複数の広帯域用パラメータセットのうち用いるべき広帯域用パラメータセットを指定する識別情報を報知するように構成されている送信部１２/２２を具備することを要旨とする。
【０１０６】
本実施形態の第１０の特徴は、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うことができるように構成されている移動局ＵＥであって、６リソースブロックにおけるＲＳＲＱの測定結果に基づいて「ｉｄｌｅ  ｍｏｄｅ  ｃｅｌｌ  ｒｅｓｅｌｅｃｔｉｏｎ」を行う際に用いられる既存パラメータに加えて、無線基地局ｅＮＢ又は無線回線制御局ＲＮＣによって送信されている個別信号から、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる複数の広帯域用パラメータセットを取得するように構成されており、かつ、無線基地局ｅＮＢ又は無線回線制御局ＲＮＣによって報知されている複数の広帯域用パラメータセットのうち用いるべき広帯域用パラメータセットを指定する識別情報を受信するように構成されている受信部３１と、かかる識別情報によって指定された広帯域用パラメータを用いて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行うように構成されているセル再選択部３２とを具備することを要旨とする。
【０１０７】
なお、上述の移動局ＵＥや無線基地局ｅＮＢ/ＮｏｄｅＢや無線回線制御局ＲＮＣの動作は、ハードウェアによって実施されてもよいし、プロセッサによって実行されるソフトウェアモジュールによって実施されてもよいし、両者の組み合わせによって実施されてもよい。
【０１０８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ/ＮｏｄｅＢや無線回線制御局ＲＮＣ内に設けられていてもよい。また、かかる記憶媒体及びプロセッサは、ディスクリートコンポーネントとして移動局ＵＥや無線基地局ｅＮＢ/ＮｏｄｅＢや無線回線制御局ＲＮＣ内に設けられていてもよい。
【０１１０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１１】
ＵＥ…移動局
ＲＮＣ…無線回線制御局
ｅＮＢ、ＮｏｄｅＢ…無線基地局
１１、２１…報知情報生成部
１２、２２…送信部
３１…受信部
３２…セル再選択部
【要約】
【課題】６リソースブロックにおけるＲＳＲＱの測定を行うケースと「Ｗｉｄｅｂａｎｄ  ＲＳＲＱ  ｍｅａｓｕｒｅｍｅｎｔ」を行うケースとで、「ｉｄｌｅ  ｍｏｄｅ  ｃｅｌｌ  ｒｅｓｅｌｅｃｔｉｏｎ」を行う際に用いられる閾値を変えることで、適切な「ｉｄｌｅ  ｍｏｄｅ  ｃｅｌｌ  ｒｅｓｅｌｅｃｔｉｏｎ」を実現する。
【解決手段】本発明に係る移動通信方法は、無線基地局ｅＮＢ又は無線回線制御局ＲＮＣが、６リソースブロックにおけるＲＳＲＱの測定結果に基づいてセル再選択処理を行う際に用いられる既存パラメータに加えて、「Ｗｉｄｅｂａｎｄ  ＲＳＲＱ  ｍｅａｓｕｒｅｍｅｎｔ」による測定結果に基づいて「ｉｄｌｅ  ｍｏｄｅ  ｃｅｌｌ  ｒｅｓｅｌｅｃｔｉｏｎ」を行う際に用いられる広帯域用パラメータを報知する工程を有する。
【選択図】図３【図１】
0005453554.tif 000002
【図２】
0005453554.tif 000003
【図３】
0005453554.tif 000004
【図４】
0005453554.tif 000005
【図５】
0005453554.tif 000006
【図６】
0005453554.tif 000007
【図７】
0005453554.tif 000008
【図８】
0005453554.tif 000009
【図９】
0005453554.tif 000010
【図１０】
0005453554.tif 000011
【図１１】
0005453554.tif 000012
【図１２】
0005453554.tif 000013
【図１３】
0005453554.tif 000014
【図１４】
0005453554.tif 000015
【図１５】
0005453554.tif 000016
【図１６】
0005453554.tif 000017
【図１７】
0005453554.tif 000018
【図１８】
0005453554.tif 000019
【図１９】
0005453554.tif 000020
【図２０】
0005453554.tif 000021
【図２１】
0005453554.tif 000022
【図２２】
0005453554.tif 000023
【図２３】
0005453554.tif 000024
【図２４】
0005453554.tif 000025